(57)【要約】【課題】内表面をコーティング処理していないキャピラリーを用いても電気浸透流の発生を防止できるキャピラリー等電点電気泳動装置を提供すること【解決手段】本発明のキャピラリー等電点電気泳動装置は、キャピラリー１内に両性電解質混合物と試料の混合溶液を満たし、キャピラリー１に電圧を印加することで、キャピラリー１内にｐＨ勾配を形成して、試料を等電点に移動させる場合に、キャピラリー１の少なくとも一端を、液体状態にある低融点合金５で閉塞したことを特徴とする。【選択図】        図１
2013257152.tif 000002
【特許請求の範囲】
【請求項１】
キャピラリー内に両性電解質混合物と試料の混合溶液を満たし、前記キャピラリーに電圧を印加することで、前記キャピラリー内にｐＨ勾配を形成して、前記試料を等電点に移動させるキャピラリー等電点電気泳動装置であって、前記キャピラリーの少なくとも一端を、液体状態にある低融点合金で閉塞したことを特徴とするキャピラリー等電点電気泳動装置。
【請求項２】
前記低融点合金を、ガリウム又はガリウムを主とする合金としたことを特徴とする請求項１に記載のキャピラリー等電点電気泳動装置。
【請求項３】
前記キャピラリーに代えて、複数の溶液流路からなるキャピラリーアレイを用いることを特徴とする請求項１又は請求項２に記載のキャピラリー等電点電気泳動装置。
【請求項４】
キャピラリー内に両性電解質混合物と試料の混合溶液を満たし、前記キャピラリーに電圧を印加することで、前記キャピラリー内にｐＨ勾配を形成して、前記試料を等電点に移動させるキャピラリー等電点電気泳による測定又は分析方法であって、前記キャピラリーの少なくとも一端を液体状態にある低融点合金で閉塞した後に、前記電圧を印加することを特徴とするキャピラリー等電点電気泳による測定又は分析方法。
【請求項５】
前記低融点合金を、ガリウム又はガリウムを主とする合金としたことを特徴とする請求項４に記載のキャピラリー等電点電気泳による測定又は分析方法。
【発明の詳細な説明】
【技術分野】
【０００１】
本発明は、アミノ酸やタンパク質の等電点の違いを利用して分離するキャピラリー等電点電気泳動装置に関する。
【背景技術】
【０００２】
既に、この種のキャピラリー等電点電気泳動装置では、電気浸透流と呼ばれる流れが発生することが知られている。
この電気浸透流の発生を防止するために、内表面を中性ポリマーによってコーティングしたキャピラリーが販売されている。
分離精度の高いキャピラリー等電点電気泳動装置を提供するものとして、特許文献１では、電気泳動用のキャピラリーの内壁表面に両性担体を固相化した構成を提案している。
【先行技術文献】
【特許文献】
【０００３】
【特許文献１】特開２００８−１０７２５９号公報
【発明の概要】
【発明が解決しようとする課題】
【０００４】
しかし、内表面を中性ポリマーによってコーティングしたキャピラリーは、内表面をコーティング処理していないキャピラリーに比べると価格が高くなってしまう。
【０００５】
そこで、本発明は、内表面をコーティング処理していないキャピラリーを用いても電気浸透流の発生を防止できるキャピラリー等電点電気泳動装置を提供することを目的とする。
【課題を解決するための手段】
【０００６】
請求項１記載の本発明のキャピラリー等電点電気泳動装置は、キャピラリー内に両性電解質混合物と試料の混合溶液を満たし、前記キャピラリーに電圧を印加することで、前記キャピラリー内にｐＨ勾配を形成して、前記試料を等電点に移動させるキャピラリー等電点電気泳動装置であって、前記キャピラリーの少なくとも一端を、液体状態にある低融点合金で閉塞したことを特徴とする。
請求項２記載の本発明は、請求項１に記載のキャピラリー等電点電気泳動装置において、前記低融点合金を、ガリウム又はガリウムを主とする合金としたことを特徴とする。
請求項３記載の本発明は、請求項１又は請求項２に記載のキャピラリー等電点電気泳動装置において、前記キャピラリーに代えて、複数の溶液流路からなるキャピラリーアレイを用いることを特徴とする。
請求項４記載の本発明のキャピラリー等電点電気泳による測定又は分析方法は、キャピラリー内に両性電解質混合物と試料の混合溶液を満たし、前記キャピラリーに電圧を印加することで、前記キャピラリー内にｐＨ勾配を形成して、前記試料を等電点に移動させるキャピラリー等電点電気泳による測定又は分析方法であって、前記キャピラリーの少なくとも一端を液体状態にある低融点合金で閉塞した後に、前記電圧を印加することを特徴とする。
請求項５記載の本発明は、請求項４に記載のキャピラリー等電点電気泳による測定又は分析方法において、前記低融点合金を、ガリウム又はガリウムを主とする合金としたことを特徴とする。
【発明の効果】
【０００７】
本発明によれば、液体状態にある低沸点合金でキャピラリーの少なくとも一端を閉塞することで、中性ポリマーにより内表面をコーティングしたキャピラリーを用いなくても、電気浸透流の発生を防止できる。
【図面の簡単な説明】
【０００８】
【図１】本発明の一実施例によるキャピラリー等電点電気泳動装置の構成図
【発明を実施するための形態】
【０００９】
本発明の第１の実施の形態によるキャピラリー等電点電気泳動装置は、キャピラリーの少なくとも一端を、液体状態にある低融点合金で閉塞したものである。本実施の形態によれば、液体状態にある低沸点合金でキャピラリーの少なくとも一端を閉塞することで、中性ポリマーにより内表面をコーティングしたキャピラリーを用いなくても、電気浸透流の発生を防止できるため、コーティングしていない安価なキャピラリーを用いることができる。
【００１０】
本発明の第２の実施の形態は、第１の実施の形態によるキャピラリー等電点電気泳動装置において、低融点合金を、ガリウム又はガリウムを主とする合金としたものである。本実施の形態によれば、室温に近い温度で液体状態を維持することができるとともに濡れ性が強いため、閉塞性に優れている。
【００１１】
本発明の第３の実施の形態は、第１又は第２の実施の形態によるキャピラリー等電点電気泳動装置において、キャピラリーに代えて、複数の溶液流路からなるキャピラリーアレイを用いるものである。本実施の形態によれば、同時に多数の試料を測定又は分析できる。
【００１２】
本発明の第４の実施の形態によるキャピラリー等電点電気泳動による測定又は分析方法は、キャピラリーの少なくとも一端を液体状態にある低融点合金で閉塞した後に、電圧を印加するものである。本実施の形態によれば、キャピラリーの端部を液体に浸ける作業で済むため、短時間で容易に作業を行える。
【００１３】
本発明の第５の実施の形態は、第４の実施の形態によるキャピラリー等電点電気泳動による測定又は分析方法において、低融点合金を、ガリウム又はガリウムを主とする合金としたものである。本実施の形態によれば、室温に近い温度で液体状態を維持することができるとともに濡れ性が強いため、閉塞性に優れている。
【実施例】
【００１４】
以下に、本発明の一実施例によるキャピラリー等電点電気泳動装置について説明する。
図１は同実施例によるキャピラリー等電点電気泳動装置の構成図である。
図１では、４本のキャピラリー１を用いた場合を示している。
本実施例では、キャピラリー１は、内径１００μｍ、外形３００μｍ、長さ４ｃｍ、内容量４００ｎｌの角型キャピラリーを用いている。角型のために蛍光顕微鏡での直接蛍光観察を行うことができ、内容液を押し出す際の蛍光バンドのロスがなく、微量かつ短時間で高感度のタンパク検出を行うことができる。
図示のように、複数本のキャピラリー１を並列化することで、複数検体の同時検出も可能となる。なお、本実施例では、キャピラリー１で説明するが、複数の溶液流路からなるキャピラリーアレイを用いることもできる。
【００１５】
本実施例によるキャピラリー等電点電気泳動装置は、キャピラリー１に電圧を印加する外部電源２を備え、外部電源２は、電極を兼ねた台座３、４に電気的に接続している。
一方の台座３は正極、他方の台座４は負極となり、キャピラリー１の一端は一方の台座３に、キャピラリー１の他端は他方の台座４に載置される。
キャピラリー１内には、両性電解質混合物と試料の混合溶液を満たしている。
両性電解質混合物と試料の混合溶液を満たしたキャピラリー１を台座３、４に載置した後に、キャピラリー１の少なくとも一端（図示では両端）を液体状態にある低融点合金５で閉塞する。
台座３、４には、キャピラリー１を載置する水平溝３ａ、４ａと、載置されるキャピラリー１に対して垂直な方向の垂直溝３ｂ、４ｂが形成されており、この垂直溝３ｂ、４ｂに、液体状態にある低融点合金５を滴下する。
低融点合金５は、導電性であり電極の機能を果たす。低融点合金５には、ガリウム又はガリウムを主とする合金を用いる。ガリウムを主とする合金には、例えばガリウム６８．５％、インジウム２１．５％、及びスズ１０％からなるガリンスタンが適している。ガリウムの融点は約２９．８℃、ガリンスタンの融点は−１９℃であり、室温雰囲気下で液体状態を保つことができる。液体状態にある低融点合金５でキャピラリー１の開口端を閉塞することで、高い密閉性を得ることができる。
【００１６】
キャピラリー１の両端を液体状態にある低融点合金５で閉塞した後に、キャピラリー１に電圧を印加することで、キャピラリー１内にｐＨ勾配を形成して、試料を等電点に移動させる。
そして、電圧印加後の試料の移動早さや移動後の位置を測定及び分析する。
なお、キャピラリー１の一端だけを液体状態にある低融点合金５で閉塞する場合には、キャピラリー１の他端には、例えば水酸化ナトリウム溶液などの塩基性溶液を配置する。
すわなち、台座３の垂直溝３ｂには低融点合金５を配置し、台座４の垂直溝４ｂには塩基性溶液を配置する。
【産業上の利用可能性】
【００１７】
以上のように本発明のキャピラリー等電点電気泳動装置によれば、電気浸透流の発生を防止できる。
【符号の説明】
【００１８】
１    キャピラリー
２    外部電源
３、４    台座
５    低融点合金
【図１】
2013257152.tif 000003